(57)【要約】    【課題】  コンベアベルトの損傷が少なく、しかも構造が簡単で、ローラの交換を簡単に行えるようにしたベルトコンベアの蛇行調整装置を提供する。    【解決手段】  コンベアフレーム（３０）に取付けられ、逆Ｌ字状をなし、垂直辺部分に長溝（１１Ｇ）が形成された取付けフレーム（１１）と、取付けフレームの水平辺部分に回転可能に取付けられ、押圧ローラ（１４）の支軸の上端部が差し込まれて固定され得る上側受筒部（１２）と、取付けフレームの長溝内にスライド可能にかつ回転可能に取付けられ、押圧ローラの支軸の下部がスライド可能に差し込まれる下側受筒部（１３）と、押圧ローラとを備え、コンベアベルトのリターン側部分（２０）の裏面には押圧ローラが押し付けられ、上側受筒部を中心として下側受筒部が取付けフレームの長溝に沿ってスライド操作され、押圧ローラの押付け角度が変更されることによって、コンベアベルトの蛇行が調整される。【選択図】  図１
2014129151.tif 000002
【特許請求の範囲】
【請求項１】
駆動ローラと従動ローラとの間にコンベアベルトを無端状に掛け渡して構成され、搭載物を輸送するベルトコンベアにおいて、
コンベアフレーム（３０）に取付けられ、水平辺部分（１１Ａ）と垂直辺部分（１１Ｂ）からなる逆Ｌ字状をなし、垂直辺部分（１１Ｂ）に長溝（１１Ｇ）が形成された取付けフレーム（１１）と、
該取付けフレーム（１１）の水平辺部分（１１Ａ）に水平軸（１２Ａ）廻りに回転可能に取付けられ、押圧ローラ（１４）の支軸（１４Ｂ）の上端部が差し込まれて固定され得る上側受筒部（１２）と、
上記取付けフレーム（１１）の長溝（１１Ｇ）内にスライド可能にかつ回転可能に取付けられ、上記押圧ローラ（１４）の支軸（１４Ｂ）の下部がスライド可能に差し込まれる下側受筒部（１３）と、
上記支軸（１４Ｂ）にローラ（１４Ａ）を回転自在に取付けて構成された上記押圧ローラ（１４）とを備え、
上記コンベアベルトのリターン側部分（２０）の裏面には上記押圧ローラ（１４）が押し付けられ、上記上側受筒部（１２）を中心として上記下側受筒部（１３）が上記取付けフレーム（１１）の長溝（１１Ｇ）に沿ってスライド操作され、上記押圧ローラ（１４）の押付け角度が変更されることによって、上記コンベアベルトの蛇行が調整されるようになしたことを特徴とするベルトコンベアの蛇行調整装置。
【請求項２】
駆動ローラと従動ローラとの間にコンベアベルトを無端状に掛け渡して構成され、搭載物を輸送するベルトコンベアにおいて、
コンベアフレーム（３０）に取付けられ、水平辺部分（１１Ａ）と垂直辺部分（１１Ｂ）を含む逆Ｌ字状をなし、垂直辺部分（１１Ｂ）に長溝（１１Ｇ）が形成された取付けフレーム（１１）と、
上端部が上記取付けフレーム（１１）の水平辺部分（１１Ａ）に水平軸（１５Ａ）廻りに回転自在に取付けられた操作アーム（１５）と、
上記取付けフレーム（１１）の長溝（１１Ｇ）内にスライド可能にかつ回転可能に取付けられ、上記操作アーム（１５）の下部がスライド自在に挿通される下側受筒部（１６）と、
上部及び下部に押圧ローラ（１４）の支軸（１４Ｂ）を取付ける軸受部（１０１、１０２）が形成された操作アーム（１００）と、
ローラ（１４Ａ）を支軸（１４Ｂ）の廻りに回転自在に支持して構成され、上記操作アーム（１００）の軸受部（１０１、１０２）に支軸（１４Ｂ）の端部が取付けられ、コンベアベルトのリターン側部分（２０）の裏面に押し付けられる押圧ローラ（１４）とを備え、
上記コンベアベルトのリターン側部分（２０）の裏面には上記押圧ローラ（１４）が押し付けられ、上記操作アーム（１００）の上部を中心にして上記下側受筒部（１６）が上記取付けフレーム（１１）の長溝（１１Ｇ）に沿ってスライド操作され、上記押圧ローラ（１４）の押付け角度が変更されることによって、上記コンベアベルトの蛇行が調整されるようになしたことを特徴とするベルトコンベアの蛇行調整装置。
【請求項３】
ベルトコンベアの両側に左右の取付けフレーム（１１）が設けられ、該左右の取付けフレーム（１１）がその水平辺部分で一体的に製作され、該取付けフレーム（１１）の左右の垂直辺部分（１１Ｂ）と水平辺部分（１１Ａ）との間に押圧ローラ（１４）が傾斜して設けられている請求項１又は２記載のベルトコンベアの蛇行調整装置。
【発明の詳細な説明】
【技術分野】
【０００１】
本発明はベルトコンベアの蛇行調整装置に関し、特にコンベアベルトの損傷が少なく、しかも構造が簡単で、蛇行調整用ローラの交換を簡単に行えるようにした蛇行調整装置に関する。
【背景技術】
【０００２】
ベルトコンベアは、駆動ローラと従動ローラとの間にコンベアベルトを無端状に掛け渡し、駆動ローラを回転させることによってコンベアベルトを周回させるような構造となっており、現在、輸送手段として最も低価格の輸送機であり、各種の工場や設備で多く採用されている。
【０００３】
このベルトコンベアでは輸送物がコンベアベルト上に偏って搭載されると、コンベアベルトが蛇行し、輸送物がこぼれたり、コンベアベルトがコンベアフレームに接触して損傷を受けたりするおそれがある。
【０００４】
これに対し、コンベアフレームに、蛇行調整ローラを支持するフレームを横幅方向に延び、かつフレーム中央を垂直軸廻りに旋回可能に取付け、コンベアベルトの両側縁には起立させたセンサーローラを摺接させ、センサーローラの支軸を蛇行調整ローラに連結し、コンベアベルトが蛇行したときにセンサーローラによって蛇行調整ローラを旋回させることによって、コンベアベルトの蛇行を少なくするようにした蛇行調整装置が提案されている（特許文献１）。
【０００５】
また、コンベアフレームに、左右及び中央の各キャリアローラを支持するフレームを各々垂直軸廻りに旋回可能に取付け、左右のキャリアローラのフレームにキャリアローラよりも大きな傾斜角度のガイドローラを設け、ガイドローラをキャリア側のコンベアベルト裏面に摺接させ、コンベアベルトが蛇行したときにガイドローラがキャリアローラを垂直軸廻りに旋回させることによってコンベアベルトの蛇行を少なくするようにした蛇行調整装置が提案されている（特許文献２）。
【０００６】
さらに、コンベアフレームに、旋回フレームの横幅方向の中央を垂直軸廻りに旋回可能に取付け、この旋回フレームに左右及び中央のキャリアローラを軸支する一方、コンベアフレームには摺動ローラを横幅方向にスライドし得るように設け、摺動ローラと旋回フレームの中央とを相互に連係させ、コンベアベルトが蛇行したときに摺動ローラを横幅方向に摺動させてキャリアローラを旋回させることによって、コンベアベルトの蛇行を少なくするようにした蛇行調整装置が提案されている（特許文献３）。
【先行技術文献】
【特許文献】
【０００７】
【特許文献１】特開２００２−１４５４３１号公報
【特許文献２】特開２００３−３００６０９号公報
【特許文献３】特開２００９−２９６１１号公報
【発明の開示】
【発明が解決しようとする課題】
【０００８】
しかし、特許文献１記載の蛇行調整装置では、コンベアベルトの側縁にセンサーローラを摺接させてコンベアベルトの蛇行を検知しているので、センサーローラを回転させているものの、コンベアベルトの側縁に過大な荷重が作用し、コンベアベルトの側縁が損傷するおそれが残っていた。
【０００９】
また、特許文献２、３記載のベルトコンベアの蛇行調整装置ではガイドローラや摺動ローラにコンベアベルトの裏面を摺接させているので、コンベアベルトの損傷は少ないものの、機構が複雑であり、ガイドローラや摺動ローラに磨耗が発生した場合に交換が煩雑であった。
【００１０】
本発明はかかる問題点に鑑み、コンベアベルトの損傷が少なく、しかも構造が簡単で、ローラの交換を簡単に行えるようにしたベルトコンベアの蛇行調整装置を提供することを課題とする。
【課題を解決するための手段】
【００１１】
そこで、本発明に係るベルトコンベアの蛇行調整装置は、駆動ローラと従動ローラとの間にコンベアベルトを無端状に掛け渡して構成され、搭載物を輸送するベルトコンベアにおいて、コンベアフレームに取付けられ、水平辺部分と垂直辺部分からなる逆Ｌ字状をなし、垂直辺部分に長溝が形成された取付けフレームと、該取付けフレームの水平辺部分に水平軸廻りに回転自在に取付けられ、押圧ローラの支軸の上端部が差し込まれて固定され得る上側受筒部と、上記取付けフレームの長溝内にスライド自在に取付けられ、上記押圧ローラの支軸の下部がスライド可能に差し込まれる下側受筒部と、上記支軸にローラを回転自在に取付けて構成された上記押圧ローラとを備え、上記コンベアベルトのリターン側部分の裏面には上記押圧ローラが押し付けられ、上記上側受筒部を中心として上記下側受筒部が上記取付けフレームの長溝に沿ってスライド操作され、上記押圧ローラの押付け角度が変更されることによって、上記コンベアベルトの蛇行が調整されるようになしたことを特徴とする。
【００１２】
本発明の主たる特徴は、押圧ローラを逆Ｌ字状のフレームに対して傾動可能に設けてコンベアベルトのリターン側部分の裏面に押し付け、押圧ローラの支軸又は操作アームを操作することによって押圧ローラの押付け角度を変更するようにした点にある。
【００１３】
これにより、押圧ローラの押付け角度が大きくなると、コンベアベルトが押圧ローラによる圧力が少なくなる方向に、すなわち角度を変更した押付けローラに対して反対側に移動しようとするので、押圧ローラ側へのコンベアベルトの偏りが修正される。
【００１４】
他方、押付けローラの押付け角度が小さくなると、搭載物の偏りなどによるコンベアベルトの横幅方向への偏りが大きくなるので、コンベアベルトが角度を変更した押付けローラの側に移動する。こうして押付けローラの押付け角度を大きく又は小さく変更することによってコンベアベルトの偏りが修正され、蛇行を調整することができる。
【００１５】
押圧ローラがコンベアベルトの裏面に摺接されているので、コンベアベルトの損傷を少なくすることができ、又構造が簡単で、しかも押圧ローラをコンベアベルトのリターン側にてコンベアベルト裏面に押し付けているので、押圧ローラが磨耗したり損傷したりしたときに押圧ローラを簡単に取り外して交換することができる。
【００１６】
また、上記では押圧ローラの支軸を手にもって操作するようにしたが、別途、操作アームを設け、操作アームに押圧ローラの支軸を取付けるようにしてもよい。
【００１７】
すなわち、本発明に係るベルトコンベアの蛇行調整装置は、駆動ローラと従動ローラとの間にコンベアベルトを無端状に掛け渡して構成され、搭載物を輸送するベルトコンベアにおいて、コンベアフレームに取付けられ、水平辺部分と垂直辺部分からなる逆Ｌ字状をなし、垂直辺部分に長溝が形成された取付けフレームと、上端部が上記取付けフレームの水平辺部分に水平軸廻りに回転自在に取付けられた操作アームと、上記取付けフレームの長溝内にスライド自在に取付けられ、上記操作アームの下部をスライド可能に支持する取付けブラケットと、上部及び下部に押圧ローラの支軸を取付ける軸受部が形成された操作アームと、ローラを支軸の廻りに回転自在に支持して構成され、上記操作アームの軸受部に押支軸の端部が取付けられ、コンベアベルトのリターン側部分の裏面に押し付けられる押圧ローラとを備え、上記コンベアベルトのリターン側部分の裏面には上記押圧ローラが押し付けられ、上記操作アームの上部を中心にして上記取付けブラケットが上記取付けフレームの長溝に沿ってスライド操作され、上記押圧ローラの押付け角度が変更されることによって、上記コンベアベルトの蛇行が調整されるようになしたことを特徴とする。
【００１８】
取付けフレームと押圧ローラの組合せはコンベアベルトの一側方に設けるだけでもよいが、コンベアベルトの横幅方向両側への偏りを考慮すると、コンベアベルトの両側に設けるのがよい。
【００１９】
即ち、取付けフレーム、操作アーム及び押圧ローラ、あるいは取付けフレーム及び押圧ローラはコンベアベルトの左右両側に設けるのが好ましい。この場合、左右の取付けフレームは別体に設けてもよく、一体的に製作するようにしてもよい。
【図面の簡単な説明】
【００２０】
【図１】本発明に係るベルトコンベアの蛇行調整装置の好ましい実施形態を示す正面図である。
【図２】上記実施形態を示す側面図である。
【図３】上記実施形態を示す一部平面図である。
【図４】上記実施形態の動作を模式的に示す図である。
【図５】第２の実施形態における押圧ローラを示す図である。
【図６】上記実施形態における押圧ローラを示す分解図である。
【図７】第３の実施形態を示す一部正面図である。
【図８】上記実施形態を示す一部側面図である
【図９】上記実施形態における押圧ローラの操作アームへの取付け方法を模式的に示す図である。
【発明を実施するための形態】
【００２１】
以下、本発明を図に示す具体例に基づいて詳細に説明する。図１ないし図４は本発明に係るベルトコンベアの蛇行調整装置の好ましい実施形態を示す。ベルトコンベアではコンベアフレームの長手方向の両側に駆動側ローラと従動ローラが設けられ、両ローラの間にはコンベアベルトが無端状に掛け渡され、駆動ローラを回転させることよってコンベアベルトが周動されてコンベアベルトのキャリア側の始端に搭載された荷が始端側から終端側に向けて輸送されるようになっている。なお、本発明の蛇行調整装置が適用されるベルトコンベアは従来公知のものと同様の構造であり、その詳細な説明は省略する。
【００２２】
このベルトコンベアのリターン側には本例の蛇行調整装置１０が設けられている。この蛇行調整装置１０は取付けフレーム１１、左右の上側受筒１２、左右の下側受筒１３及び左右の押圧ローラ１４から構成されている。
【００２３】
取付けフレーム１１は例えば金属材料や硬質合成樹脂材料などを用い、水平辺部分１１Ａの両端にコ字状チャネル１１Ｃを固定しコ字状チャネル１１Ｃに垂直辺部分１１Ｂを下方に延びて固定した形状、即ち逆Ｌ字状の左右の取付けフレームを水平辺部分１１Ａで一体的に結合した形状に製作されている。
【００２４】
取付けフレーム１１のコ字状チャネル１１Ｃには一対の長穴１１Ｄが穿設され、コンベアフレーム３０には一対の挿通穴が穿設され、挿通穴と長穴１１Ｄが位置合わせされボルト１１Ｅが挿通されてナット１１Ｆに螺合され締付けられることによって取付けフレーム１１がコンベアフレーム３０のリターン側に固定されている。
【００２５】
また、取付けフレーム１１の水平辺部分１１Ａの挿通穴には上側受筒１２の側面に固定された取付けピン１２Ａが挿通されてコ字状の抜止め部材１２Ｂを介してナット１２Ｃに螺合されることによって抜け止めされ、上側受筒１２は取付けフレーム１１の水平辺部分１１Ａに対して回転可能に取付けられている。
【００２６】
さらに、取付けフレーム１１の垂直辺部分１１Ｂには長溝１１Ｇが穿設され、長溝１１Ｇには下側受筒１３の側面に固定された取付けピン１３Ａが挿通され、コ字状の抜止め部材１３Ｂを介してナット１３Ｃに螺合されることによって抜け止めされ、下側受筒１３は取付けフレーム１１の垂直辺部分１１Ｂに対して長穴１１に沿って上下動可能にかつ取付けピン１３Ａ廻りに回転可能に取付けられている。
【００２７】
他方、押圧ローラ１４は長尺の支軸１４Ｂにローラ１４Ａを軸受を介して回転自在に取付けて構成され、支軸１４Ｂの上端部は上側受筒１２内に差し込まれ、ねじ１２Ｄを螺進させることによって上側受筒１２に固定され、又押圧ローラ１４の支軸１３の下部は下側受筒１３にスライド自在に挿通されており、これによって押圧ローラ１４は傾斜した状態でコンベアベルトのリターン側部分２０の裏面に押付けられている。
【００２８】
本例の蛇行調整装置１０をベルトコンベアにセットする場合、図１に示されるように、コンベアフレーム３０に取付けフレーム１１のコ字状チャネル１１Ｄを嵌め合わせ、ボルト１１Ｅをコンベアフレーム３０の挿通穴及びコ字状チャネル１１Ｃの長穴１１Ｄに挿通させてナット１１Ｆに螺合させ締付けることによってコ字状の取付けフレーム１１をコンベアベルトのリターン側部分２０に向うようにコンベアフレーム３０に取付ける。
【００２９】
コンベアベルトの蛇行を調整する場合、上下の受筒１２、１３のナット１２Ｃ、１３Ｃを弛めて支軸１４Ｂを上側受筒１２の取付けピン１２Ａの廻りに回動自在とし、支軸１４Ｂを手に持って上側受筒１２の取付けピン１２Ａを中心として下側受筒１３を長溝１１Ｇに沿って上下にスライドさせ、図４に示されるように、押圧ローラ１４のコンベアベルト２０に対する押付け角度を変更する。
【００３０】
押圧ローラ１４の押付け角度を大きくすると、コンベアベルト２０がその押付けローラ１４に対して反対側に移動され、押圧ローラ１４の押付け角度を小さくすると、コンベアベルト２０がその押付けローラ１４側に移動されるので、左右の押圧ローラ１４の角度を変更することによってコンベアベルトの蛇行を調整することができる。蛇行の調整が済むと、ナット１２Ｃ、１３Ｃを締め付けて上下の受筒１２、１３を固定する。
【００３１】
押圧ローラ１４を交換する場合、ねじ１２Ｄを弛めて上側受筒１２から押圧ローラ１４の支軸１４Ｂを抜くと、押圧ローラ１４を取付けフレーム１１から取り外すことができるので、新しい押圧ローラ１４の支軸１４Ｂの下部を下側受筒１３内に差し込んだ後、押圧ローラ１４を持ち上げて支軸１４Ｂの上端部を上側受筒１２内に差し込み，ねじ１２Ｄを締め付けて支軸１４Ｂを上側受筒１２に固定すればよい。
【００３２】
図５及び図６は第２の実施形態を示す。図において、図１ないし図４と同一符号は同一又は相当部分を示す。本例では押圧ローラ１４は短尺の支軸１４Ｂにローラ１４Ａが回転自在に取付けられ、支軸１４Ｂの両端部にはカップリング部材１４Ｃが嵌め合わされ、支軸１４Ｂ両端部に形成した切欠き１４Ｅをカップリング部材１４Ｃの挿通穴１４Ｆに合わせ、コッタ１４Ｄを打ち込むことによって支軸１４Ｂに延長軸１４Ｇが着脱可能に連結されるようになっている。
【００３３】
図７ないし図９は第３の実施形態を示す。図において図１ないし図６と同一符号は同一又は相当部分を示す。本例では操作アーム１５の先端に取付けプレート１５Ｄが固定され、下側受筒１６には操作アーム１５の下部がスライド自在に挿通されるとともに、取付けプレート１６Ｄが固定されている。
【００３４】
操作アーム１５の取付けプレート１５Ｄの挿通穴及び取付けフレーム１１の水平辺部分１１Ａの挿通穴に取付けピン１５Ａが挿通されコ字状の抜止め部材１５Ｂを介してナット１５Ｃに螺合させ締付けることによって操作アーム１５の取付けプレート１５Ｄが取付けフレーム１１の水平辺部分１１Ａに対して取付けピン１５Ａの廻りに回転可能に取付けられている。
【００３５】
また、下側受筒１６の取付けプレート１６Ｄの挿通穴及び取付けフレーム１１の垂直辺部分１１Ｂの長穴１１Ｇに取付けピン１６Ａが挿通されコ字状の抜止め部材１６Ｂを介してナット１６Ｃに螺合させ締付けることによって下側受筒１６の取付けプレート１６Ｄが取付けフレーム１１の垂直辺部分１１Ｂに対して長穴１１Ｇに沿って上下動可能にかつ取付けピン１６Ａ廻りに回転可能に取付けられている。
【００３６】
さらに、操作アーム１５には側面コ字状のブラケット１００が固定され、ブラケット１００の上部には図９の（ａ）に示されるように、軸受凹穴１０１が形成されて押圧ローラ１４の短尺の支軸１４Ｂの上端部が回転自在に嵌め込まれている。
【００３７】
他方、ブラケット１００の下部には図９の（ａ）〜（ｄ）に示されるように、軸受凹溝１０２が形成されるとともに、略逆Ｕ字状のベース１７が立てて固定され、ベース１７にはリング状のホルダー１８の中央穴にベース１７の一辺が挿通されるように嵌め合わされており、ブラケット１００の軸受凹溝１０２に押圧ローラ１４の支軸１４Ｂの端部を側方から嵌め込み、ホルダー１８によって支軸１４を押え込み、ホルダー１８とベース１７との空間にコッタ１９を打ち込むことによって、押圧ローラ１４の支軸１４Ｂの下部がブラケット１００に回転自在に取付けられるようになっている。
【００３８】
押圧ローラ１４を交換する場合には図９の（ｄ）に示す状態から、（ａ）に示す状態に向けて上記と逆の操作をすれば、押圧ローラ１４を取り外すことができるので、新しい押圧ローラ１４を図９に示す手順でホルダー１００に取り付けるようにすればよい。
【符号の説明】
【００３９】
１０        蛇行調整装置
１１        取付けフレーム
１１Ａ      水平辺部分
１１Ｂ      垂直辺部分
１１Ｇ      長溝
１２        上側受筒
１３        下側受筒
１４        押圧ローラ
１４Ａ      ローラ
１４Ｂ      支軸
１５        操作アーム
１６        下側受筒
【図１】
2014129151.tif 000003
【図２】
2014129151.tif 000004
【図３】
2014129151.tif 000005
【図４】
2014129151.tif 000006
【図５】
2014129151.tif 000007
【図６】
2014129151.tif 000008
【図７】
2014129151.tif 000009
【図８】
2014129151.tif 000010
【図９】
2014129151.tif 000011